(57)【要約】  レーザ治療装置は、レーザ光を出力する複数の光源と、複数の光源に供給された電流の電流値をそれぞれ検出する電流検出部と、複数の光源から出力されたレーザ光の光量をそれぞれ検出する光量検出部と、複数の光源から出力されたレーザ光を結合するレーザ光結合部と、レーザ光結合部で結合されたレーザ光の導光及びビーム成形の少なくとも一方を行うことで治療光へと変換し、治療光を患部に照射するレーザ光照射部と、光量検出部の検出結果に基づき複数の光源に供給される電流の制御を行うことにより、レーザ光の出力を所定の値に調整する制御部とを備え、制御部は、複数の光源に供給される電流の電流値に対してそれぞれ設定された所定の閾値を予め記憶しており、レーザ光の出力中、電流検出部により検出された複数の光源の電流値のうち、少なくとも１つが、所定の閾値以上である場合、電流値が所定の閾値以上である少なくとも１つの光源へ供給する電流を停止し、他の光源によって、電流値が所定の閾値以上である光源のレーザ光の出力分を補填するように、他の光源に供給する電流を制御する。
2014192267.tif 000002
【特許請求の範囲】
【請求項１】
レーザ光を出力する複数の光源と、
前記複数の光源に供給された電流の電流値をそれぞれ検出する電流検出部と、
前記複数の光源から出力された前記レーザ光の光量をそれぞれ検出する光量検出部と、
前記複数の光源から出力されたレーザ光を結合するレーザ光結合部と、
前記レーザ光結合部で結合されたレーザ光の導光及びビーム成形の少なくとも一方を行うことで治療光へと変換し、前記治療光を患部に照射するレーザ光照射部と、
前記光量検出部の検出結果に基づき前記複数の光源に供給される前記電流の制御を行うことにより、前記レーザ光の出力を所定の値に調整する制御部と、
を備え、
前記制御部は、前記複数の光源に供給される電流の前記電流値に対してそれぞれ設定された所定の閾値を予め記憶しており、前記レーザ光の出力中、前記電流検出部により検出された前記複数の光源の電流値のうち、少なくとも１つが、前記所定の閾値以上である場合、前記電流値が所定の閾値以上である少なくとも１つの光源へ供給する電流を停止し、他の光源によって、前記電流値が前記所定の閾値以上である光源のレーザ光の出力分を補填するように、前記他の光源に供給する電流を制御する、レーザ治療装置。
【請求項２】
第１のレーザ光を出力する第１の光源と、
前記第１の光源に供給された電流の電流値を検出する第１の電流検出部と、
前記第１のレーザ光の光量を検出する第１の光量検出部と、
第２のレーザ光を出力する第２の光源と、
前記第２の光源に供給された電流の電流値を検出する第２の電流検出部と、
前記第２のレーザ光の光量を検出する第２の光量検出部と、
前記第１のレーザ光と前記第２のレーザ光を結合するレーザ光結合部と、
前記レーザ光結合部で結合されたレーザ光の導光及びビーム成形の少なくとも一方を行うことで治療光へと変換し、前記治療光を患部に照射するレーザ光照射部と、
前記第１の光量検出部の検出結果に基づき第１の光源に供給される電流制御を行うことで前記第１のレーザ光の出力を第１の所定の出力に調整し、前記第２の光量検出部の検出結果に基づき第２の光源に供給される電流制御を行うことで前記第２のレーザ光の出力を第２の所定の出力に調整する制御部と、
を備え、
前記制御部は、前記第１の光源の前記電流値に対する所定の第１の閾値と前記第２の光源の前記電流値に対する所定の第２の閾値とを予め記憶しており、前記第１のレーザ光及び前記第２のレーザ光の出力中に前記第１の電流検出部の検出結果が前記第１の所定の閾値以上である場合、前記第１の光源へ供給する電流を停止し、前記第２の光源で前記第１の所定の出力を補填するように前記第２の光源へ供給する電流を制御するレーザ治療装置。
【請求項３】
前記第１の閾値及び前記第２の閾値は、前記第１の光源及び前記第２の光源それぞれの定格電流の値を基準に設定された値である、請求項２に記載のレーザ治療装置。
【請求項４】
前記第１の光源及び前記第２の光源は、それぞれ前記第１の所定の出力と前記第２の所定の出力の和に相当する出力のレーザ光を出力可能な光源である、請求項２に記載のレーザ治療装置。
【請求項５】
前記第１の光源および第２の光源に電流を供給する第１の電流供給部および第２の電流供給部をさらに備え、
前記制御部は、
前記第１のレーザ光及び前記第２のレーザ光の出力中に前記第１の電流検出部の検出結果が前記第１の所定の閾値以上である場合、前記第１の光源へ供給する電流を停止し、前記第２の光源で前記第１の所定の出力を補填するように前記第２の電流供給部を制御する請求項２から４のいずれかに記載のレーザ治療装置。
【請求項６】
前記制御部は、前記第１の光量検出部の検出結果に基づき、前記第１の光源から、前記第１の所定の出力のレーザ光が出力されていないと判定し、かつ、前記第１の電流検出部の検出結果が前記第１の所定の閾値以上である場合、前記第１の光源へ供給する電流を停止し、前記第２の光源で前記第１の所定の出力を補填するように前記第２の光源へ供給する電流を制御する請求項２から５のいずれかに記載のレーザ治療装置。
【発明の詳細な説明】
【技術分野】
【０００１】
本願は、レーザ治療装置に関する。
【背景技術】
【０００２】
レーザは種々の治療に用いられる。たとえば、レーザ治療装置は、光線力学的治療法（ｐｈｏｔｏｄｙｎａｍｉｃ  ｔｈｅｒａｐｙ：以下、「ＰＤＴ」と略する。）に用いられる。【０００３】
ＰＤＴとは、癌細胞に多く蓄積される光感受性物質とレーザ光照射による光化学反応を利用した局所的治療法である。具体的には、光感受性物質（例えば、タラポルフィンナトリウム）を生体に投与し、光感受性物質が蓄積された癌細胞に対して光感受性物質特有の励起波長を有する所定の出力のレーザ光を照射することで、光感受性物質から一重項酸素を生じさせ、この一重項酸素により癌細胞を破壊する治療法である。【０００４】
例えば、特許文献１〜３にはＰＤＴに用いるレーザ治療装置が提案されている。
【先行技術文献】
【特許文献】
【０００５】
【特許文献１】特開２００６−８７６４６号公報
【特許文献２】特開平７−１００２１８号公報
【特許文献３】特開２００１−２６７６８１号公報
【発明の概要】
【発明が解決しようとする課題】
【０００６】
ＰＤＴのような治療を行う場合、治療中にレーザ治療装置が故障することによって治療が継続できなくなるような事態を避けることが好ましい。【０００７】
本願は、前記従来の課題を解決するためのものであって、レーザ治療中に所定の出力のレーザ光が出力できなくなった場合でも、適切にレーザ治療を行うことができるレーザ治療装置を提供することを目的とする。
【課題を解決するための手段】
【０００８】
本発明の一態様にかかるレーザ治療装置は、レーザ光を出力する複数の光源と、前記複数の光源に供給された電流の電流値をそれぞれ検出する電流検出部と、前記複数の光源から出力された前記レーザ光の光量をそれぞれ検出する光量検出部と、前記複数の光源から出力されたレーザ光を結合するレーザ光結合部と、前記レーザ光結合部で結合されたレーザ光の導光及びビーム成形の少なくとも一方を行うことで治療光へと変換し、前記治療光を患部に照射するレーザ光照射部と、前記光量検出部の検出結果に基づき前記複数の光源に供給される前記電流の制御を行うことにより、前記レーザ光の出力を所定の値に調整する制御部とを備え、前記制御部は、前記複数の光源に供給される電流の前記電流値に対してそれぞれ設定された所定の閾値を予め記憶しており、前記レーザ光の出力中、前記電流検出部により検出された前記複数の光源の電流値のうち、少なくとも１つが、前記所定の閾値以上である場合、前記電流値が所定の閾値以上である少なくとも１つの光源へ供給する電流を停止し、他の光源によって、前記電流値が前記所定の閾値以上である光源のレーザ光の出力分を補填するように、前記他の光源に供給する電流を制御する。
【発明の効果】
【０００９】
本願のレーザ治療装置によれば、上記構成により、レーザ治療中に複数の光源のうち、少なくとも１つの光源が所定の出力でレーザ光を出力できなくなった場合でも、レーザ治療に適したレーザを出力し続けることが可能である。
【図面の簡単な説明】
【００１０】
【図１】本願の実施の形態におけるレーザ治療装置の外観図の一例である。
【図２】本願の実施の形態におけるレーザ治療装置の機能ブロック図の一例である。
【図３】本願の実施の形態におけるレーザ治療装置の動作フロー図の一例である。
【発明を実施するための形態】
【００１１】
本発明の一態様の概要は以下の通りである。
【００１２】
本発明の一態様にかかるレーザ治療装置は、レーザ光を出力する複数の光源と、前記複数の光源に供給された電流の電流値をそれぞれ検出する電流検出部と、前記複数の光源から出力された前記レーザ光の光量をそれぞれ検出する光量検出部と、前記複数の光源から出力されたレーザ光を結合するレーザ光結合部と、前記レーザ光結合部で結合されたレーザ光の導光及びビーム成形の少なくとも一方を行うことで治療光へと変換し、前記治療光を患部に照射するレーザ光照射部と、前記光量検出部の検出結果に基づき前記複数の光源に供給される前記電流の制御を行うことにより、前記レーザ光の出力を所定の値に調整する制御部とを備え、前記制御部は、前記複数の光源に供給される電流の前記電流値に対してそれぞれ設定された所定の閾値を予め記憶しており、前記レーザ光の出力中、前記電流検出部により検出された前記複数の光源の電流値のうち、少なくとも１つが、前記所定の閾値以上である場合、前記電流値が所定の閾値以上である少なくとも１つの光源へ供給する電流を停止し、他の光源によって、前記電流値が前記所定の閾値以上である光源のレーザ光の出力分を補填するように、前記他の光源に供給する電流を制御する。
【００１３】
本発明の他の一態様にかかるレーザ治療装置は、第１のレーザ光を出力する第１の光源と、前記第１の光源に供給された電流の電流値を検出する第１の電流検出部と、前記第１のレーザ光の光量を検出する第１の光量検出部と、第２のレーザ光を出力する第２の光源と、前記第２の光源に供給された電流の電流値を検出する第２の電流検出部と、前記第２のレーザ光の光量を検出する第２の光量検出部と、前記第１のレーザ光と前記第２のレーザ光を結合するレーザ光結合部と、前記レーザ光結合部で結合されたレーザ光の導光及びビーム成形の少なくとも一方を行うことで治療光へと変換し、前記治療光を患部に照射するレーザ光照射部と、前記第１の光量検出部の検出結果に基づき第１の光源に供給される電流制御を行うことで前記第１のレーザ光の出力を第１の所定の出力に調整し、前記第２の光量検出部の検出結果に基づき第２の光源に供給される電流制御を行うことで前記第２のレーザ光の出力を第２の所定の出力に調整する制御部とを備え、前記制御部は、前記第１の光源の前記電流値に対する所定の第１の閾値と前記第２の光源の前記電流値に対する所定の第２の閾値とを予め記憶しており、前記第１のレーザ光及び前記第２のレーザ光の出力中に前記第１の電流検出部の検出結果が前記第１の所定の閾値以上である場合、前記第１の光源へ供給する電流を停止し、前記第２の光源で前記第１の所定の出力を補填するように前記第２の光源へ供給する電流を制御する。
【００１４】
前記第１の閾値及び前記第２の閾値は、前記第１の光源及び前記第２の光源それぞれの定格電流の値を基準に設定された値であってもよい。
【００１５】
前記第１の光源及び前記第２の光源は、それぞれ前記第１の所定の出力と前記第２の所定の出力の和に相当する出力のレーザ光を出力可能な光源であってもよい。
【００１６】
前記レーザ治療装置は、前記第１の光源および第２の光源に電流を供給する第１の電流供給部および第２の電流供給部をさらに備え、前記制御部は、前記第１のレーザ光及び前記第２のレーザ光の出力中に前記第１の電流検出部の検出結果が前記第１の所定の閾値以上である場合、前記第１の光源へ供給する電流を停止し、前記第２の光源で前記第１の所定の出力を補填するように前記第２の電流供給部を制御してもよい。
【００１７】
前記制御部は、前記第１の光量検出部の検出結果に基づき、前記第１の光源から、前記第１の所定の出力のレーザ光が出力されていないと判定し、かつ、前記第１の電流検出部の検出結果が前記第１の所定の閾値以上である場合、前記第１の光源へ供給する電流を停止し、前記第２の光源で前記第１の所定の出力を補填するように前記第２の光源へ供給する電流を制御してもよい。
【００１８】
以下図面を参照しながらに、本願の実施の形態に係るレーザ治療装置を詳細に説明する。
【００１９】
≪レーザ治療装置１００の構成≫
＜全体構成＞
図１は、本願の実施の形態におけるレーザ治療装置の外観図の一例である。
【００２０】
図１に示すようにレーザ治療装置１００は、本体部１、導光ファイバ２、照射ユニット３、操作部４（４ａ、４ｂ）及び電源ケーブル５を備える。
【００２１】
図２は、レーザ治療装置１の概略的なハードウエア構成の一例を示すブロック図である。図２に示すように、本体部１は第１の電流供給部１１、第１の電流検出部１２、第１の光源１３、第１の光量検出部１４、第２の電流供給部１５、第２の電流検出部１６、第２の光源１７、第２の光量検出部１８及び制御部１９を含む。また、導光ファイバ２はレーザ光結合部２１を含み、照射ユニット３はレーザ光照射部３１を含む。制御部１９は、例えば、メモリなどの記憶装置とＣＰＵ等の情報演算装置を含むマイコンなどによって構成されている。
【００２２】
＜第１の電流供給部１１、第２の電流供給部１５＞
第１の電流供給部１１は、制御部１９の制御の下、第１の電流検出部１２を介して第１の光源１３に電流を供給する。また、第２の電流供給部１５も第１の電流供給部１１と同様であって、制御部１９の制御の下、第２の電流検出部１６を介して第２の光源１７に電流を供給する。
【００２３】
＜第１の電流検出部１２、第２の電流検出部１６＞
第１の電流検出部１２は、第１の電流供給部１１から出力された電流の電流値を検出し、その検出結果を制御部１９に出力する。また、第２の電流検出部１６も第１の電流検出部１２と同様であって、第２の電流供給部１５から出力された電流の電流値を検出し、その検出結果を制御部１９に出力する。
【００２４】
＜第１の光源１３、第２の光源１７＞
第１の光源１３及び第２の光源１７はそれぞれ、例えば半導体レーザ素子で構成される。第１の光源１３は、第１の電流供給部１１から供給された電流に基づく第１のレーザ光を出力し、そのレーザ光を導光ファイバ２のレーザ光結合部２１に供給する。また、第２の光源１７も第１の光源１３と同様であって、第２の電流供給部１５から供給された電流に基づく第２のレーザ光を出力し、そのレーザ光を導光ファイバ２のレーザ光結合部２１に供給する。
【００２５】
＜第１の光量検出部１４、第２の光量検出部１８＞
第１の光量検出部１４は、第１の光源１３から出力された第１のレーザ光の光量を検出し、その検出結果を制御部１９に出力する。また、第２の光量検出部１８も第１の光量検出部１４と同様であって、第２の光源１７から出力された第２のレーザ光の光量を検出し、その検出結果を制御部１９に出力する。
【００２６】
第１の光量検出部１４および第２の光量検出部１８は、例えば、それぞれフォトダイオードと（不図示）とＩ−Ｖ（電流−電圧）変換回路（不図示）から構成される。フォトダイオードでレーザ光を受光し電流値に変換するとともに、その電流値をＩ−Ｖ（電流−電圧）変換回路で電圧値に変換する。そして、この電圧値に関する検出結果を制御部１９に出力する。
【００２７】
なお、第１の光量検出部１４（第２の光量検出部１８も同様）のフォトダイオードは、第１の光源１３とともにＨｉｇｈ  Ｈｅａｔ  Ｌｏａｄ（以下、「ＨＨＬ」と略する。）パッケージ（不図示）内に収納されていてもよい。そして、第１の光源１３から出力された第１のレーザ光を導光ファイバ２に導光させる際にＨＨＬパッケージ内に漏れ出た光をフォトダイオードが受光するように構成されている。このＨＨＬパッケージ全体は積分球に相当する構造を備え、第１の光量検出部１４のフォトダイオードにより、導光ファイバ２に導光される第１のレーザ光の光量に比例した光量を常時検出することができる。第２の光量検出部１８のフォトダイオードも同様の構造を備えている。
【００２８】
＜制御部１９＞
制御部１９は、操作部４の設定に基づき所定の出力のレーザ光を第１の光源１３及び第２の光源１７からそれぞれ出力させるために、本体部１内の各ブロックを制御する。
【００２９】
制御部１９は、第１の光源１３からの第１のレーザ光の出力及び第２の光源１７からの第２のレーザ光の出力をそれぞれ所定の第１の出力及び所定の第２の出力とすべく、第１の電流供給部１１及び第２の電流供給部１５からそれぞれ第１の光源１３及び第２の光源１７に供給する電流の大きさを制御する。なお、所定の第１の出力及び所定の第２の出力の和は、操作部４で設定された出力である。
【００３０】
第１の光源１３および第２の光源１７の劣化が進んだ場合、光源に供給する電流を大きくしないと所定の出力のレーザ光を出力することができなくなる。従って、制御部１９は、例えば、第１の光量検出部１４の光量の検出結果が、所定の第１の出力を下回ったら第１の光源１３に対して供給する電流を大きくするように第１の電流供給部１１を制御する。一方、制御部１９は、第１の光量検出部１４の光量の検出結果が、所定の第１の出力を上回ったら第１の光源１３に対して供給する電流を小さくするように第１の電流供給部１１を制御する。これにより、制御部１９は、第１の光源１３から出力される第１のレーザ光の所定の第１の出力を維持する制御を行う。また、制御部１９は、第２の光源１７に対しても同様に所定の第２の出力を維持する制御を行う。
【００３１】
更に第１の光源１３および第２の光源１７の劣化が進んだ場合、光源に供給する電流を大きくしても所定の出力のレーザ光を出力することができなくなる。この場合、制御部１９は、劣化した光源への電流供給を停止することでレーザ光の出力を停止するとともに、もう一方の光源に対して停止した光源の出力を補填し、所定の第１の出力と所定の第２の出力の和が一定となるようにもう一方の光源に供給する電流の制御を行う。
【００３２】
この点を第１の光源１３が劣化した場合で説明すると、制御部１９は、第１の光源１３及び第２の光源１７のそれぞれに対して所定の閾値（以下、それぞれの所定の閾値を「第１の閾値」、「第２の閾値」とする。）を記憶している。そして、第１の光量検出部１４の光量の検出結果が、所定の第１の出力を下回り、かつ、第１の電流検出部１２から受け取る第１の光源１３に供給される電流の電流値が第１の閾値以上である場合、制御部１９は、第１の電流供給部１１から第１の光源１３への電流の供給を停止する制御を行う。これにより、第１の光源１３からの第１のレーザ光の出力が停止される。一方、制御部１９は、第１の電流供給部１１から出力される電流の供給の停止に伴い、第２の光源１７が所定の第１の出力分を補填するように出力を増大させる制御を行う。すなわち、制御部１９は、操作部４で設定された所定の出力（すなわち、所定の第１の出力と所定の第２の出力との和）のレーザ光を第２の光源１７が出力するように第２の電流供給部１５から第２の光源１７に供給される電流の電流値の制御を行う。
【００３３】
係る構成により、制御部１９が上述の制御を行うことで、レーザ治療中に第１の光源１３又は第２の光源１７が劣化により所定の出力のレーザ光を出力できなくなったとしても、もう一方の光源によりその出力を補填する。このため、現在実施中のレーザ治療を中断することなくレーザ治療を続行することができる。また、複数の光源から出力されるそれぞれのレーザ光の和によって所定の出力のレーザ光を出力させる構成であるため、それぞれの光源から出力されるレーザ光の出力を相対的に小さくすることができる。その結果、それぞれの光源の長寿命化を図ることができる。
【００３４】
＜導光ファイバ２、レーザ光結合部２１＞
導光ファイバ２は、第１の光源１３からのレーザ光及び第２の光源１７からのレーザ光をそれぞれ導光し、それぞれのレーザ光をレーザ光結合部２１で結合して１つのレーザ光とする。そして、結合したレーザ光をレーザ光照射部３１に導光する。
【００３５】
＜レーザ光照射部３１＞
レーザ光照射部３１は、導光ファイバ２を介して第１の光源１３及び第２の光源１７から出力されたレーザ光が結合されたレーザ光の導光及びビーム成形の少なくともいずれか一方を行う。これにより、レーザ光を治療光に変換し、この治療光を患部に照射する。
【００３６】
≪レーザ治療装置１００の動作≫
図２および図３を参照しながら、レーザ治療装置１００の動作および操作者の操作を説明する。なお、ここでは第１の光源１３が劣化した場合について説明を行う。図３は、レーザ治療装置１００の動作を示すフローチャートである。
【００３７】
＜ステップ１（Ｓ０１１）＞
ステップ１（Ｓ０１１）では、操作者が操作部４ａでレーザ光の所定の出力の設定、照射時間等、レーザ治療を行う上でのレーザ治療装置１００の各種設定を行う。操作者の設定後、フットスイッチである操作部４ｂを押下することで、第１の光源１３および第２の光源１７からレーザ光が出力される。なお、ここで設定された所定の出力は、第１の光源１３のレーザ光の所定の第１の出力と第２の光源１７のレーザ光の第２の所定の出力の和であって、本実施の形態では第１の所定の出力と第２の出力が同一である。しかし、第１の出力および第２の出力の和が、第１の光源１３および第２の光源１７が出力可能なレーザ光の最大出力以下であれば、第１の出力および第２の出力は異なっていてもよい。
【００３８】
＜ステップ２（Ｓ０１２）＞
ステップ２（Ｓ０１２）では、制御部１９は、第１の電流供給部１１から第１の光源１３へ供給される電流の制御を行う。これにより、第１の光源１３から供給された電流に基づく出力のレーザ光が第１の光源１３から出力される。また、制御部１９は、同様に第２の電流供給部１５から第１の光源１７へ供給される電流の制御を行う。これにより、第２の光源１７から供給された電流に基づく出力のレーザ光が第２の光源１７から出力される。そして、レーザ光結合部２１で２つのレーザ光が結合され、その結合されたレーザ光は、レーザ光照射部３１で治療光に変換され、係る治療光が患部に向けて照射される。
【００３９】
＜ステップ３（Ｓ１３）＞
ステップ３（Ｓ０１３）では、第１の電流検出部１２が、第１の電流供給部１１から第１の光源１３に供給された電流の電流値を検出する。そして、第１の電流検出部１２は、その検出結果を制御部１９に出力する。また、第２の電流検出部１６も同様に、第２の電流供給部１５から第２の光源１７に供給された電流の電流値を検出し、その検出結果を制御部１９に出力する。
【００４０】
＜ステップ４（Ｓ０１４）＞
ステップ４（Ｓ０１４）では、第１の光量検出部１４が、第１の光源１３から出力されたレーザ光の光量を検出する。そして、第１の光量検出部１４は、その検出結果を制御部１９に出力する。また、第２の光量検出部１８も同様に、第２の光源１７から出力されたレーザ光の光量を検出し、その検出結果を制御部１９に出力する。
【００４１】
＜ステップ５（Ｓ０１５）＞
ステップ５（Ｓ０１５）では、制御部１９が、第１の光量検出部１４及び第２の光量検出部１８のそれぞれの検出結果に基づき、第１の光源１３及び第２の光源１７から、それぞれ所定の第１の出力及び所定の第２の出力のレーザ光が出力されているか否かを判定する。
【００４２】
なお、制御部１９での判定において、第１の光量検出部１４及び第２の光量検出部１８の検出結果がそれぞれ所定の第１の出力及び所定の第２の出力と完全に一致した場合のみに、それぞれに設定された出力のレーザ光が出力されていると判定しなくてもよい。たとえば、それぞれ所定の第１の出力及び所定の第２の出力を含むそのレーザ治療における許容できる範囲を設定し、第１の光量検出部１４及び第２の光量検出部１８の検出結果がその範囲内にあれば、第１の光源１３及び第２の光源１７のそれぞれに設定されたレーザ光を出力されていると判定してもよい。
【００４３】
制御部１９において、第１の光量検出部１４及び第２の光量検出部１８の検出結果のそれぞれが、設定された出力のレーザ光が出力されていると判定された場合（図３中のＳ０１５の「Ｙｅｓ」の場合）、ステップ９（Ｓ０１９）に移行する。一方、制御部１９において、第１の光量検出部１４、第２の光量検出部１８のいずれか一方もしくは、両方の検出結果が、設定されたレーザ光が出力されていないと判定されれば（図３中のＳ０１５の「Ｎｏ」の場合）、ステップ６（Ｓ０１６）へ移行する。
【００４４】
＜ステップ６（Ｓ０１６）＞
ステップ６（Ｓ０１６）では、制御部１９が、ステップ３（Ｓ０１３）の第１の電流検出部１２の検出結果に基づき、第１の光源１３に供給された電流が第１の閾値以上であるか否かを判定する。なお、ここでは、制御部１９に予め記憶された第１の閾値として、例えば、第１の光源１３（第２の光源１７の場合も同様）に対する定格電流の値が用いられる。
【００４５】
制御部１９は、第１の光源１３に供給された電流の電流値が第１の閾値未満である場合、ステップ７（Ｓ０１７）へ移行する（図３中のＳ０１６の「Ｎｏ」の場合）。一方、制御部１９において、第１の光源１３に供給された電流の電流値が第１の閾値以上である場合、ステップ８（Ｓ０１８）へ移行する（図３中のＳ０１６の「Ｙｅｓ」の場合）。
【００４６】
＜ステップ７（Ｓ０１７）＞
ステップ７（Ｓ０１７）では、制御部１９が、第１の電流供給部１１に対して第１の光源１３に供給する電流の大きさの設定を変更する。すなわち、制御部１９は、第１の電流供給部１１に対して、供給する電流を大きくする設定を行う。これにより、第１の光源１３により大きな電流が流れ、第１の光源１３から出射するレーザ光の出力が増大する。そして、ステップ２（Ｓ０１２）に戻り、第１の光源１３の供給電流の設定が変更された条件で再度同様のステップを繰り返すこととなる。
【００４７】
＜ステップ８（Ｓ０１８）＞
ステップ８（Ｓ０１８）では、制御部１９が、第１の光源１３及び第２の光源１７それぞれから出力されるレーザ光の出力の大きさの設定を変更する。すなわち、制御部１９は、第１の光源１３への電流の供給を停止するように第１の電流供給部１１を制御する。これにより、第１の光源１３は、レーザ光の出力を停止する。定格電流を流しても、第１の光源１３が所定の出力のレーザ光を出射できないということは第１の光源１３になんらかの故障が発生していると考えられるからである。なお、第１の光源１３から出力されるレーザ光が実質的にゼロとなるかぎり、第１の電流供給部１１が第１の光源１３へ出力する電流値は完全にゼロでなくてもよい。
【００４８】
制御部１９は、さらに第２の光源１７の出力を、第１の光源１３の出力を補填する出力に設定を変更し、その設定に基づき、第２の電流供給部１５が第２の光源１７に供給する電流の大きさを変更する。この場合、第２の光源１７からは、操作部４で設定された所定の出力である所定の第１の出力と所定の第２の出力の和の出力のレーザ光を出力する。また、制御部１９は、ステップ５（Ｓ０１５）における光量の判定に用いる第１の出力を操作部４で設定された所定の出力に設定するとともに、第２の出力をゼロに設定する。そして、ステップ２（Ｓ０１２）に戻り、レーザ光の出力の設定が変更された条件で再度同様のステップを繰り返す。
【００４９】
＜ステップ９（Ｓ０１９）＞
ステップ９（Ｓ０１９）では、制御部１９がステップ１（Ｓ０１１）で設定された照射時間に達したか否かを判定する。ここで、制御部１９が設定された照射時間に達していないと判定すれば、ステップ２（Ｓ０１２）に戻り、同様のステップを繰り返すこととなる。一方、制御部１９が設定された照射時間に達したと判定すれば、レーザ治療を終了することとなる。
【００５０】
なお、ここでのステップは、ステップ１（Ｓ０１１）で設定された照射時間に基づきレーザ治療を終了するか否かを判定する構成を示しているが、本願はこれに限定されず、医師等の操作者の判断により終了するステップであってもよい。この場合、操作者は操作部４ｂをＯＦＦとし、レーザ光の出力を停止する操作を行う。
【００５１】
なお、第１の光源１３が故障する以外に、レーザ治療装置１００の動作中、なんらかの理由によって、第１の光源１３からのレーザ光が第１の出力から外れる場合が考えられる。この場合、ステップ２（Ｓ０１２）〜ステップ５（Ｓ０１５）、ステップ６（Ｓ０１６）、ステップ７（Ｓ０１７）に従い、第１の光量検出部１４が検出する検出結果に基づくフィードバック制御によって、第１の光源１３からのレーザ光が一定の出力に保たれる。この制御では、第１の光源１３へ供給される電流が第１の閾値以上とはならない限り、第１の光源１３からのレーザ光が停止することはない。
【００５２】
≪実施の形態のまとめ≫
以上で説明したとおり、本実施形態のレーザ治療装置によれば、レーザ治療中に第１の光源が第１の所定の出力のレーザ光を出力ができなくなっても、第２の光源が第１の光源の出力を補填する。このため、現在実施中の治療を中断させることなく、適切にレーザ治療を行うことができる。
【００５３】
なお、本実施の形態ではレーザ治療装置は２つの光源を備えているが、レーザ治療装置は３つ以上の光源を備えていてもよい。この場合、複数の光源のうち、１つの光源が所定の出力のレーザ光を出力できなくなった時に、他の１つの光源がその出力を補填する制御を行う構成でもあってもよいし、所定の出力のレーザ光を出力できなくなった光源の出力分を、他の複数の光源それぞれで（例えば、均等の出力）で補填する制御を行ってもよい。
【００５４】
また、レーザ治療中に複数の光源のうち、１つ以上の光源を停止し、他の光源で停止した光源の出力を補填した場合、警告灯やブザー音等、視覚的又は聴覚的に使用者に知らせるようにレーザ治療装置が構成されていてもよい。これにより、操作者や管理者がレーザ治療終了後に光源の修理、交換等の対応を行うことができ、レーザ治療装置の保守に役立てることできる。
【産業上の利用可能性】
【００５５】
本開示のレーザ治療装置は、種々のレーザ治療装置に適用可能である。特に、使用時に高い信頼性が要求されるレーザ治療装置に好適に用いられる。
【符号の説明】
【００５６】
１  本体部
２  導光ファイバ
３  照射ユニット
４、４ａ、４ｂ  操作部
５  電源ケーブル
１１  第１の電流供給部
１２  第１の電流検出部
１３  第１の光源
１４  第１の光量検出部
１５  第２の電流供給部
１６  第２の電流検出部
１７  第２の光源
１８  第２の光量検出部
１９  制御部
２１  レーザ光結合部
３１  レーザ光照射部
１００  レーザ治療装置
【図１】
2014192267.tif 000003
【図２】
2014192267.tif 000004
【図３】
2014192267.tif 000005
【国際調査報告】
2014192267.tif 000006
2014192267.tif 000007